(57)【要約】【課題】  中継を行う無線端末自身の通信を保護するとともに、基地局と直接通信を行っている無線局を優先的に通信させたり、中継によって基地局と通信している無線端末の通信を控えるように制御を行う。【解決手段】  自無線端末が中継することにより基地局とユーザデータを送受信する自無線端末以外の無線端末の台数を記憶し、または、自無線端末が中継することにより前記基地局とユーザデータを送受信する自無線端末以外の無線端末のそれぞれについて基地局までの中継段数を記憶すると共に自無線端末と基地局との間の中継段数を記憶し、自無線端末が中継する中継台数または自無線端末が中継する無線端末の基地局までの中継段数または自無線端末と基地局との間の中継段数のいずれかあるいはそれらの組み合わせにより求めた数値に応じて自無線端末の送信機会の優先度を増減させる。【選択図】  図１
2005072861.tif 000002
【特許請求の範囲】
【請求項１】
基地局と複数の無線端末とから構成される無線通信システムに適用され、前記基地局との間でユーザデータの送受信を行う機能と、自無線端末以外の他無線端末と前記基地局との間で送受信されるユーザデータを中継する機能とを備えた無線端末において、
自無線端末が中継することにより前記基地局とユーザデータを送受信する自無線端末以外の他無線端末の台数を記憶する中継台数記憶部と、
自無線端末が中継することにより前記基地局とユーザデータを送受信する自無線端末以外の他無線端末のそれぞれについて基地局までの中継段数を記憶すると共に自無線端末と前記基地局との間の中継段数を記憶する中継段数記憶部と
をいずれかあるいは両方備え、
自無線端末が中継する中継台数または自無線端末が中継する他無線端末の前記基地局までの中継段数または自無線端末と前記基地局との間の中継段数のいずれかあるいはそれらの組み合わせにより求めた数値に応じて自無線端末の送信機会の優先度を増減させる送信機会優先度計算部を備えた
ことを特徴とする無線端末。
【請求項２】
複数の無線端末から構成される無線通信システムに適用され、自無線端末以外の他無線端末間で送受信されるユーザデータを中継する機能を備えた無線端末において、
自無線端末が中継することにより無線端末間でユーザデータを送受信する自無線端末以外の他無線端末の台数を記憶する中継台数記憶部と、
自無線端末が中継することにより無線端末間でユーザデータを送受信する自無線端末以外の他無線端末のそれぞれについて無線端末間の中継段数を記憶する中継段数記憶部と
をいずれかあるいは両方備え、
自無線端末が中継する中継台数または自無線端末が中継する無線端末間の中継段数のいずれかあるいはそれらの組み合わせにより求めた数値に応じて自無線端末の送信機会の優先度を増減させる送信機会優先度計算部を備えた
ことを特徴とする無線端末。
【請求項３】
前記送信機会優先度計算部は、自無線端末が中継する台数が自無線端末と同じ基地局と通信する他無線端末もしくは自無線端末と通信する他無線端末の中継台数もしくは閾値よりも多ければ前記送信機会を増加させる手段を備えた請求項１または２記載の無線端末。
【請求項４】
前記送信機会優先度計算部は、自無線端末が中継している自無線端末以外の他無線端末から基地局までの中継段数が自無線端末と同じ基地局と通信する他無線端末もしくは自無線端末と通信する他無線端末の中継段数または閾値よりも多ければ基地局から自無線端末への送信機会の優先度の増加分および自無線端末の送信機会の優先度の増加分を少なくする手段を備えた請求項３記載の無線端末。
【請求項５】
前記送信機会優先度計算部は、基地局と自無線端末との間の中継段数が自無線端末と同じ基地局と通信する他無線端末もしくは自無線端末と通信する他無線端末の中継段数または閾値よりも多ければ基地局から自無線端末への送信機会の優先度および自無線端末の送信機会の優先度を減少させる手段を備えた請求項１または２記載の無線端末。
【請求項６】
前記基地局と前記無線端末との間あるいは前記無線端末間のアクセス方式にＣＳＭＡ／ＣＡが適用され、
前記送信機会優先度計算部は、送信機会優先度に応じてＣＳＭＡ／ＣＡにおけるコンテンションウィンドウの幅を増減する手段を備えた請求項１ないし５のいずれかに記載の無線端末。
【請求項７】
データの送信単位毎に、送信試行回数が一定回数以降からＣＳＭＡ／ＣＡにおけるコンテンションウィンドウを中継台数とそれぞれの中継段数のいずれかあるいはそれらの組み合わせに応じて増減する手段を備えた請求項６記載の無線端末。
【請求項８】
基地局との間でユーザデータの送受信を行う機能と、自無線端末以外の他無線端末と基地局との間で送受信されるユーザデータを中継する機能とを備えた無線端末と基地局とから構成される無線通信システムに適用され、前記無線端末との間でユーザデータの送受信を行う機能を備えた基地局において、
各無線端末が中継している当該無線端末以外の他無線端末の台数を記憶する中継台数記憶部と、
自基地局とユーザデータを送受信する無線端末のそれぞれについて自基地局までの中継段数を記憶する中継段数記憶部と
をいずれかあるいは両方備え、
前記無線端末の台数または前記中継段数のいずれかあるいはそれらの組み合わせにより求めた数値に応じて各無線端末へのユーザデータの送信機会の優先度を増減させる送信機会優先度計算部を備えた
ことを特徴とする基地局。
【請求項９】
前記送信機会優先度計算部は、前記無線端末が中継する台数が前記無線端末と同じ基地局と通信する他無線端末もしくは前記無線端末と通信する他無線端末の中継台数もしくは閾値よりも多ければ前記送信機会を増加させる手段を備えた請求項８記載の基地局。
【請求項１０】
前記送信機会優先度計算部は、無線端末が中継している当該無線端末以外の他無線端末から自基地局までの中継段数が前記無線端末と同じ基地局と通信する他無線端末もしくは前記無線端末と通信する他無線端末の中継段数または閾値よりも多ければ自基地局から当該無線端末への送信機会の優先度の増加分および当該無線端末の送信機会の優先度の増加分を少なくする手段を備えた請求項９記載の基地局。
【請求項１１】
前記送信機会優先度計算部は、基地局と無線端末との間の中継段数が前記無線端末と同じ基地局と通信する他無線端末もしくは前記無線端末と通信する他無線端末の中継段数または閾値よりも多ければ基地局から当該無線端末への送信機会の優先度および自無線端末の送信機会の優先度を減少させる手段を備えた請求項８記載の基地局。
【請求項１２】
前記基地局と前記無線端末との間あるいは前記無線端末間のアクセス方式にＣＳＭＡ／ＣＡが適用され、
前記送信機会優先度計算部は、送信機会優先度に応じてＣＳＭＡ／ＣＡにおけるコンテンションウィンドウの幅を増減する手段を備えた請求項８ないし１１のいずれかに記載の基地局。
【請求項１３】
データの送信単位毎に、送信試行回数が一定回数以降からＣＳＭＡ／ＣＡにおけるコンテンションウィンドウを中継台数とそれぞれの中継段数のいずれかあるいはそれらの組み合わせに応じて増減する手段を備えた請求項１２記載の基地局。
【請求項１４】
基地局との間でユーザデータの送受信を行う機能と、自無線端末以外の他無線端末と基地局との間で送受信されるユーザデータを中継する機能とを備えた無線端末と基地局とから構成される無線通信システムに適用され、前記無線端末との間でユーザデータの送受信を行う機能を備えた基地局において、
各無線端末が中継している当該無線端末以外の他無線端末の台数を記憶する中継台数記憶部と、
自基地局とユーザデータを送受信する無線端末のそれぞれについて自基地局までの中継段数を記憶する中継段数記憶部と
をいずれかあるいは両方備え、
前記無線端末の台数または前記中継段数のいずれかあるいはそれらの組み合わせにより求めた数値に応じて各無線端末および自基地局へのユーザデータの送信機会の割り当てを増減させる送信機会優先度計算部を備えた
ことを特徴とする基地局。
【請求項１５】
請求項１ないし７のいずれかに記載の無線端末または請求項８ないし１４のいずれかに記載の基地局を備えたことを特徴とする無線通信システム。
【請求項１６】
情報処理装置にインストールすることにより、その情報処理装置に、請求項１ないし７のいずれかに記載の無線端末の各手段に相応する機能を実現させることを特徴とするプログラム。
【請求項１７】
情報処理装置にインストールすることにより、その情報処理装置に、請求項８ないし１４のいずれかに記載の基地局の各手段に相応する機能を実現させることを特徴とするプログラム。
【請求項１８】
請求項１６または１７記載のプログラムが記録された前記情報処理装置読み取り可能な記録媒体。
【発明の詳細な説明】
【技術分野】
【０００１】
本発明は、基地局に無線端末がアクセスする形式または無線端末が相互にアクセスする形式の無線通信システムに利用する。特に、基地局または無線端末における送信機会制御技術に関する。
【背景技術】
【０００２】
基地局に無線端末がアクセスする形式の無線通信システムでは、従来からマルチホップアクセスによる基地局のカバーエリアの拡大が考えられている。これは無線端末と基地局との間の通信を間に存在する他の無線端末が中継することで、基地局と通常では通信できない無線端末の通信を実現するものであり、基地局からの距離が遠く受信電力の小さい場所の救済や、障害物の回避などに有効な方法である。
【０００３】
このようなマルチホップアクセスを行うことが可能であるシステムの例として標準化団体ＩＥＥＥにより標準化されているＩＥＥＥ８０２．１１ａ規格のシステムを挙げる。ＩＥＥＥ８０２．１１ａシステムでは、アクセス方式としてＣＳＭＡ／ＣＡ(Carrier Sense Multiple Access/Collision Avoidance)を採用している。この方式では各無線端末および基地局は送信するデータがある場合、キャリアセンスを行い、同じ周波数帯が使用されていなければランダムに決定されるコンテンションウィンドウだけ送信を待機した後、そのデータを送信する。したがって、このシステムでは送信機会は各無線端末および基地局に均等に与えられる（例えば、非特許文献１参照）。
【非特許文献１】IEEE802.11,“Part11:Wireless LANMedium Access Control(MAC)and Physical Layer(PHY)Specifications”,IEEE802.11Std.,Aug.1999
【発明の開示】
【発明が解決しようとする課題】
【０００４】
マルチホップアクセスにおいて、中継を行う無線端末は自無線端末が基地局に送信するユーザデータ（以下、自端末データ）だけでなく、その無線端末の中継を利用して基地局と通信を行う他の無線端末のユーザデータ（以下、中継データ）を送信する必要がある。例えば、アクセス方式にＣＳＭＡ／ＣＡを用いるシステムでは、無線端末および基地局はそれぞれ送信機会が均等であるため、各無線端末および基地局の伝送速度は、送信しようとするデータレートが等しければ均等になる。
【０００５】
このため、無線端末が他の無線端末のデータを中継する場合、その無線端末の伝送速度は、中継データと自端末データで分けることになり、自端末データの伝送速度は中継をしない無線端末に比べて低下する。無線ＬＡＮを用いたアクセスサービスにおいて、偶然適した場所に位置する無線端末を中継端末として、基地局へのアクセス可能な領域を拡大することを考えれば、自端末以外の無線端末の中継データによって、中継する端末の自端末データの伝送速度を低下するようなシステムでは、中継を行う無線端末にはデメリットとなる。
【０００６】
また、中継を利用して基地局と通信を行う無線端末は、基地局と直接通信を行う無線端末と比較して、同じデータ量を基地局まで送信するのに通信帯域の占有量は、中継段数だけ倍増する。したがって、基地局と直接通信する無線端末と同じデータ伝送速度で通信を行う場合、中継段数が多い無線端末が多いほど、他の無線端末が使用できる通信帯域が減少することになる。
【０００７】
以上のことから、中継する無線端末自身の通信を極力保護することと、中継回数は極力少なく抑えつつ中継を行うことが望まれる。
【０００８】
本発明は、このような背景に行われたものであって、中継を行う無線端末自身の通信を保護するとともに、基地局と直接通信を行っている無線局を優先的に通信させたり、中継によって基地局と通信している無線端末の通信を控えるように制御を行うことができる無線通信システムを提供することを目的とする。
【課題を解決するための手段】
【０００９】
本発明の第一の観点は、基地局と複数の無線端末とから構成される無線通信システムに適用され、前記基地局との間でユーザデータの送受信を行う機能と、自無線端末以外の他無線端末と前記基地局との間で送受信されるユーザデータを中継する機能とを備えた無線端末である。
【００１０】
ここで、本発明の特徴とするところは、自無線端末が中継することにより前記基地局とユーザデータを送受信する自無線端末以外の他無線端末の台数を記憶する中継台数記憶部と、自無線端末が中継することにより前記基地局とユーザデータを送受信する自無線端末以外の他無線端末のそれぞれについて基地局までの中継段数を記憶すると共に自無線端末と前記基地局との間の中継段数を記憶する中継段数記憶部とをいずれかあるいは両方備え、自無線端末が中継する中継台数または自無線端末が中継する他無線端末の前記基地局までの中継段数または自無線端末と前記基地局との間の中継段数のいずれかあるいはそれらの組み合わせにより求めた数値に応じて自無線端末の送信機会の優先度を増減させる送信機会優先度計算部を備えたところにある（請求項１）。
【００１１】
あるいは、本発明は、複数の無線端末から構成される無線通信システムに適用され、自無線端末以外の他無線端末間で送受信されるユーザデータを中継する機能を備えた無線端末であって、本発明の特徴とするところは、自無線端末が中継することにより無線端末間でユーザデータを送受信する自無線端末以外の他無線端末の台数を記憶する中継台数記憶部と、自無線端末が中継することにより無線端末間でユーザデータを送受信する自無線端末以外の他無線端末のそれぞれについて無線端末間の中継段数を記憶する中継段数記憶部とをいずれかあるいは両方備え、自無線端末が中継する中継台数または自無線端末が中継する無線端末間の中継段数のいずれかあるいはそれらの組み合わせにより求めた数値に応じて自無線端末の送信機会の優先度を増減させる送信機会優先度計算部を備えたところにある（請求項２）。
【００１２】
前記送信機会優先度計算部は、例えば、自無線端末が中継する台数が自無線端末と同じ基地局と通信する他無線端末もしくは自無線端末と通信する他無線端末の中継台数もしくは閾値よりも多ければ前記送信機会を増加させる手段を備える（請求項３）。
【００１３】
これによれば、中継負荷の大きな無線端末については、送信機会を多く与えることにより、中継処理を円滑に行うことができる。
【００１４】
あるいは、前記送信機会優先度計算部は、例えば、自無線端末が中継している自無線端末以外の他無線端末から基地局までの中継段数が自無線端末と同じ基地局と通信する他無線端末もしくは自無線端末と通信する他無線端末の中継段数または閾値よりも多ければ基地局から自無線端末への送信機会の優先度の増加分および自無線端末の送信機会の優先度の増加分を少なくする手段を備える（請求項４）。
【００１５】
これによれば、中継負荷の大きな無線端末については、今以上に通信負荷を増やすことを抑制することにより、中継処理を円滑に行うことができる。
【００１６】
あるいは、前記送信機会優先度計算部は、例えば、基地局と自無線端末との間の中継段数が自無線端末と同じ基地局と通信する他無線端末もしくは自無線端末と通信する他無線端末の中継段数または閾値よりも多ければ基地局から自無線端末への送信機会の優先度および自無線端末の送信機会の優先度を減少させる手段を備える（請求項５）。
【００１７】
これによれば、中継負荷の大きな無線端末については、通信負荷を減らすことにより、中継処理を円滑に行うことができる。
【００１８】
さらに詳細には、例えば、前記基地局と前記無線端末との間あるいは前記無線端末間のアクセス方式にＣＳＭＡ／ＣＡが適用されている場合には、前記送信機会優先度計算部は、送信機会優先度に応じてＣＳＭＡ／ＣＡにおけるコンテンションウィンドウの幅を増減する手段を備える（請求項６）。
【００１９】
また、データの送信単位毎に、送信試行回数が一定回数以降からＣＳＭＡ／ＣＡにおけるコンテンションウィンドウを中継台数とそれぞれの中継段数のいずれかあるいはそれらの組み合わせに応じて増減する手段を備えることができる（請求項７）。
【００２０】
これによれば、送信機会優先度の制御を一定の送信試行回数を超えた時点から実行することができるため、初めから中継負荷の低い無線端末に対しては、送信機会優先度の制御を行うことなく、有効な送信機会優先度の制御を行うことができる。
【００２１】
以上の説明は、無線端末に送信機会優先度計算部を設けた場合であるが、基地局に送信機会優先度計算部を設けることができる。また、無線端末および基地局の双方に送信機会優先度計算部を設けることができる。
【００２２】
すなわち、本発明の第二の観点は、基地局との間でユーザデータの送受信を行う機能と、自無線端末以外の無線端末と基地局との間で送受信されるユーザデータを中継する機能とを備えた無線端末と基地局とから構成される無線通信システムに適用され、前記無線端末との間でユーザデータの送受信を行う機能を備えた基地局である。
【００２３】
ここで、本発明の特徴とするところは、各無線端末が中継している当該無線端末以外の他無線端末の台数を記憶する中継台数記憶部と、自基地局とユーザデータを送受信する無線端末のそれぞれについて自基地局までの中継段数を記憶する中継段数記憶部とをいずれかあるいは両方備え、前記無線端末の台数または前記中継段数のいずれかあるいはそれらの組み合わせにより求めた数値に応じて各無線端末へのユーザデータの送信機会の優先度を増減させる送信機会優先度計算部を備えたところにある（請求項８）。
【００２４】
また、前記送信機会優先度計算部は、前記無線端末が中継する台数が前記無線端末と同じ基地局と通信する他無線端末もしくは前記無線端末と通信する他無線端末の中継台数もしくは閾値よりも多ければ前記送信機会を増加させる手段を備えることができる（請求項９）。
【００２５】
また、前記送信機会優先度計算部は、無線端末が中継している当該無線端末以外の他無線端末から自基地局までの中継段数が前記無線端末と同じ基地局と通信する他無線端末もしくは前記無線端末と通信する他無線端末の中継段数または閾値よりも多ければ自基地局から当該無線端末への送信機会の優先度の増加分および当該無線端末の送信機会の優先度の増加分を少なくする手段を備えることができる（請求項１０）。
【００２６】
また、前記送信機会優先度計算部は、基地局と無線端末との間の中継段数が前記無線端末と同じ基地局と通信する他無線端末もしくは前記無線端末と通信する他無線端末の中継段数または閾値よりも多ければ基地局から当該無線端末への送信機会の優先度および自無線端末の送信機会の優先度を減少させる手段を備えることができる（請求項１１）。
【００２７】
また、前記基地局と前記無線端末との間あるいは前記無線端末間のアクセス方式にＣＳＭＡ／ＣＡが適用され、送信機会優先度計算部は、送信機会優先度に応じてＣＳＭＡ／ＣＡにおけるコンテンションウィンドウの幅を増減する手段を備えることができる（請求項１２）。
【００２８】
このときに、データの送信単位毎に、送信試行回数が一定回数以降からＣＳＭＡ／ＣＡにおけるコンテンションウィンドウを中継台数とそれぞれの中継段数のいずれかあるいはそれらの組み合わせに応じて増減する手段を備えることができる（請求項１３）。
【００２９】
あるいは、本発明は、基地局との間でユーザデータの送受信を行う機能と、自無線端末以外の他無線端末と基地局との間で送受信されるユーザデータを中継する機能とを備えた無線端末と基地局とから構成される無線通信システムに適用され、前記無線端末との間でユーザデータの送受信を行う機能を備えた基地局である。
【００３０】
ここで、本発明の特徴とするところは、各無線端末が中継している当該無線端末以外の他無線端末の台数を記憶する中継台数記憶部と、自基地局とユーザデータを送受信する無線端末のそれぞれについて自基地局までの中継段数を記憶する中継段数記憶部とをいずれかあるいは両方備え、前記無線端末の台数または前記中継段数のいずれかあるいはそれらの組み合わせにより求めた数値に応じて各無線端末および自基地局へのユーザデータの送信機会の割り当てを増減させる送信機会優先度計算部を備えたところにある（請求項１４）。
【００３１】
これによれば、例えば、基地局が集中的に無線端末に対して送信機会を割り当てる無線通信システムにおいては、送信機会の割り当て自体を増減させることで、本発明の目的を達成することができる。
【００３２】
本発明の第三の観点は、本発明の無線端末または基地局を備えたことを特徴とする無線通信システムである（請求項１５）。
【００３３】
本発明の第四の観点は、情報処理装置にインストールすることにより、その情報処理装置に、本発明の無線端末の各手段に相応する機能を実現させることを特徴とするプログラムである（請求項１６）。あるいは、情報処理装置にインストールすることにより、その情報処理装置に、本発明の基地局の各手段に相応する機能を実現させることを特徴とするプログラムである（請求項１７）。
【００３４】
本発明の第五の観点は、本発明のプログラムが記録された前記情報処理装置読取可能な記録媒体である（請求項１８）。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３５】
これにより、汎用の情報処理装置を用いて、中継を行う無線端末自身の通信を保護するとともに、基地局と直接通信を行っている無線局を優先的に通信させたり、中継によって基地局と通信している無線端末の通信を控えるように制御を行うことができる無線通信システムを実現することができる。
【発明の効果】
【００３６】
本発明によれば、中継を行う無線端末自身の通信を保護するとともに、基地局と直接通信を行っている無線局を優先的に通信させたり、中継によって基地局と通信している無線端末の通信を控えるように制御を行うことができる。これにより基地局と直接通信を行っている無線端末の通信を優先的に保護したり、中継を円滑に行うことができる。
【発明を実施するための最良の形態】
【００３７】
以下、本発明の実施形態について図を参照しながら説明する。
【００３８】
図１に中継を利用して通信を行っている形態の一例を示す。無線端末（ＳＴＡと図示）（ａ３）は無線端末（ａ４〜ａ６）を中継し、さらに無線端末（ａ５）は（ａ６）を中継している。各無線端末は図２に示すように、送信機会優先度計算部（ｂ２）、中継台数記憶部（ｂ３）、中継段数記憶部（ｂ４）、自身の中継段数記憶部（ｂ５）から構成される送信機会制御部（ｂ１）を持ち、図３に示すフローチャートに従い、それぞれの送信機会優先度を制御する。
【００３９】
まず、無線端末は自端末が他の無線端末を中継しているかどうかを判定する（ｃ２）。中継している場合、その中継台数を取得する（ｃ３）。中継しているそれぞれの無線端末について、基地局から中継している無線端末までの中継段数を取得する（ｃ４）。図１の例では、無線端末ａ３は３台の無線端末（ａ４〜ａ６）を中継しており、それぞれ、（ａ４）、（ａ５）は１段階、（ａ６）は２段階の中継で基地局（ＡＰと図示）（ａ１）と通信していることになる。
【００４０】
また、自身が基地局と何段の中継を介して通信しているかを取得する（ｃ６）。得られた中継台数と中継段数からその無線端末の送信機会優先度を計算する（ｃ７）。その計算結果に従い、その無線端末の送信機会を制御する（ｃ８）（請求項１、８、１５）。
【００４１】
この送信機会優先度の制御方法の一例として、コンテンションウィンドウによる制御を説明する。ＩＥＥＥ８０２．１１ａにおいては無線部の輻輳制御処理で、コンテンションウィンドウと呼ばれる待ち時間をランダムに設定することで、無線端末同士の通信の衝突を回避する。このコンテンションウィンドウの最大幅を変えることにより送信機会の優先度を変えることが可能である。したがって、無線端末は中継台数と中継段数に従い、このコンテンションウィンドウの最大幅を増減する。
【００４２】
例えば、図１の無線端末ａ３のように中継を行っている無線端末はコンテンションウィンドウサイズを小さくし、送信機会の優先度を高め、また、無線端末ａ６のように中継を利用して基地局と通信を行う無線端末のコンテンションウィンドウサイズは大きくし、送信機会の優先度を低く制御する。この送信優先度制御の計算例として以下のものを挙げる。
【００４３】
無線端末ａのコンテンションウィンドウの幅をＣＷａ、通常のコンテンションウィンドウの幅をＣＷとした場合、ｈａを無線端末ａ自身の基地局からの中継段数（基地局との直接通信の場合を１段とする）、ｈｉを無線端末ａが中継している、無線端末ｉと基地局間の中継段数とし、無線端末ａが中継している無線端末の台数として、ＣＷａを式（１）に従い決定する（請求項３〜６、９〜１２）。
【００４４】
【数１】
2005072861.tif 000003
また、送信機会優先度の制御を、送信試行回数で一定回数行った後から適用する方式も適用可能である（請求項７、１３）。
【００４５】
また、基地局（ａ１）に関しては、図４に示すように、送信割り当て優先度計算部（ｄ２）、中継台数記憶部（ｄ３）、中継段数記憶部（ｄ４）から構成される送信機会割り当て制御部（ｄ１）を備え、下り方向の通信に関して、各無線端末に対する送信の割り当てを、各無線端末の中継台数と中継段数に応じて優先度を変化させて割り当てる（請求項８）。
【００４６】
また、図５に示すように無線端末のみでネットワークを構築している場合において、各無線端末（ｅ１〜ｅ６）は図６に示すように、送信機会優先度計算部（ｆ２）、中継台数記憶部（ｆ３）、中継段数記憶部（ｆ４）から構成される送信機会制御部（ｆ１）を備えるとともに、図７に示すフローチャートに従い、各無線端末はその無線端末を経由して通信を行っている無線端末の台数とそれぞれの無線端末間の中継段数に応じて、自端末の送信機会の優先度を増減する（請求項２）。
【００４７】
また、基地局が全ての無線端末の送信機会を集中的に制御し、各無線端末の送信機会と、自基地局の送信機会を割り当てるシステムにおいては、基地局は、図４に示す送信機会割り当て制御部（ｄ１）を備え、下り方向の通信に関して、各無線端末に対する送信の割り当てを、各無線端末の中継台数と中継段数に応じて優先度を変化させて割り当てる（請求項１４）。
【００４８】
本発明は、汎用の情報処理装置にインストールすることにより、その情報処理装置に本発明の無線端末および基地局に相応する機能を実現させるプログラムとして実現することができる（請求項１６、１７）。このプログラムは、記録媒体に記録されて情報処理装置にインストールされ（請求項１８）、あるいは通信回線を介して情報処理装置にインストールされることにより当該情報処理装置に、送信機会制御部（ｂ１）、（ｆ１）、送信機会優先度計算部（ｂ２）、（ｆ２）、中継台数記憶部（ｂ３）、（ｄ３）、（ｆ３）、中継段数記憶部（ｂ４）、（ｄ４）、（ｆ４）、自身の中継段数記憶部（ｂ５）、送信機会割り当て制御部（ｄ１）、送信割り当て優先度計算部（ｄ２）にそれぞれ相応する機能を実現させることができる。
【００４９】
さらに本発明は、各無線端末および基地局は各無線端末の中継台数と中継段数に応じて、それぞれの送信機会を任意に制御する全ての利用方法に対して応用が可能である。
【００５０】
以上実施例の説明においては送信機会の増減のために中継台数、中継段数、自身の中継段数を組み合わせる場合を例としたが、要求に応じて使用する情報を限定すること、もしくは機能を省略することも可能である。
【００５１】
また、以上述べた実施形態は全て本発明を例示的に示すものであり、限定的に示すものではない。従って、本発明は他の種々の変形態様、変更態様で実施することができ、本発明の範囲は特許請求の範囲およびその均等範囲によってのみ規定されるものである。
【産業上の利用可能性】
【００５２】
上記手段により、中継を行う無線端末自身の通信を保護するとともに、基地局と直接通信を行っている無線局を優先的に通信させたり、中継によって基地局と通信している無線端末の通信を控えるように制御を行うことができる。これにより基地局と直接通信を行っている無線端末の通信を優先的に保護したり、中継を円滑に行うことができるため、無線端末のユーザに対するサービス品質を向上させることができる。
【図面の簡単な説明】
【００５３】
【図１】無線端末による中継を利用した基地局との通信を示す図。
【図２】基地局と無線端末により構成されるネットワークにおける無線端末の送信機会制御部の構成を示す図。
【図３】基地局と無線端末により構成されるネットワークにおける無線端末の送信機会制御手順を示すフローチャート。
【図４】基地局と無線端末により構成されるネットワークにおける基地局の送信機会制御部の構成を示す図。
【図５】無線端末のみで構成されるネットワークの例を示す図。
【図６】無線端末のみで構成されるネットワークにおける無線端末の送信機会制御部の構成を示す図。
【図７】無線端末のみで構成されるネットワークにおける無線端末の送信機会制御手順を示すフローチャート。
【符号の説明】
【００５４】
ａ１  基地局（ＡＰ）
ａ２〜ａ６、ｅ１〜ｅ６  無線端末（ＳＴＡ）
ｂ１、ｆ１  送信機会制御部
ｂ２、ｆ２  送信機会優先度計算部
ｂ３、ｄ３、ｆ３  中継台数記憶部
ｂ４、ｄ４、ｆ４  中継段数記憶部
ｂ５  自身の中継段数記憶部
ｄ１  送信機会割り当て制御部
ｄ２  送信割り当て優先度計算部
【図１】
2005072861.tif 000004
【図２】
2005072861.tif 000005
【図３】
2005072861.tif 000006
【図４】
2005072861.tif 000007
【図５】
2005072861.tif 000008
【図６】
2005072861.tif 000009
【図７】
2005072861.tif 000010